(57)【要約】【課題】輪木とパネル等との間に指や手を挟んだりしにくいようにする。【解決手段】輪木１００は、屈曲部１０１が形成された帯状部材を有し、上記帯状部材の端部に把持部１０４が設けられている。【選択図】図２
2019049170.tif 000002
【特許請求の範囲】
【請求項１】
屈曲部が形成された帯状部材を有する輪木であって、
上記帯状部材の端部に把持部が設けられていることを特徴とする輪木。
【請求項２】
請求項１の輪木であって、
上記把持部は、内部に穴を有する環状に形成されていることを特徴とする輪木。
【請求項３】
請求項１および請求項２のうち何れか１項の輪木であって、
上記把持部における上記帯状部材の幅方向の寸法が、上記帯状部材の幅よりも短く設定されていることを特徴とする輪木。
【請求項４】
請求項１から請求項３のうち何れか１項の輪木であって、
上記把持部が、帯状部材の両端部にそれぞれ設けられていることを特徴とする輪木。
【請求項５】
請求項１から請求項４のうち何れか１項の輪木であって、
上記屈曲部は、波形形状の山部または谷部となるように形成され、複数の輪木の山部または谷部どうしを重ねることが可能に構成されていることを特徴とする輪木。
【発明の詳細な説明】
【技術分野】
【０００１】
本発明は、板状の建築資材を地面や床から離して仮置きする場合などに用いられる輪木に関するものである。
【背景技術】
【０００２】
建築物の外壁用のパネル等が建築現場で使用される場合、そのパネル等は、床や地面に置かれた輪木の上に仮置きされることがある。上記輪木としては、例えば、帯状部材を波状に形成したプラスチック成型品が用いられている（例えば、特許文献１参照。）。
【先行技術文献】
【特許文献】
【０００３】
【特許文献１】特開２００４−１０７９１４号公報
【発明の概要】
【発明が解決しようとする課題】
【０００４】
外壁用のパネル等を輪木の上に置こうとする際や、既にパネル等が輪木の上に置かれた状態で、その輪木の位置をずらしたりすることがある。そのような場合、輪木の掴み方などによっては、輪木とパネル等との間に指や手を挟まないように注意する必要があり、作業性を低下させる要因となり得る。
【０００５】
本発明は、上記の点に鑑み、輪木とパネル等との間に指や手を挟んだりするおそれを容易に低減できるようにすることを目的としている。
【課題を解決するための手段】
【０００６】
上記の目的を達成するため、本発明は、
屈曲部が形成された帯状部材を有する輪木であって、
上記帯状部材の端部に把持部が設けられていることを特徴とする。
【０００７】
これにより、輪木の位置をずらしたりする場合に把持部を掴むことによって、輪木とパネル等との間に指や手を挟んだりしにくくすることができる。
【発明の効果】
【０００８】
本発明によれば、輪木とパネル等との間に指や手を挟んだりするおそれを容易に低減できる。
【図面の簡単な説明】
【０００９】
【図１】輪木が用いられる状態の例を示す斜視図である。
【図２】輪木の具体的な構成を示す斜視図である。
【図３】複数の輪木が重ねられた状態を示す平面図である。
【発明を実施するための形態】
【００１０】
以下、本発明の実施形態を図面に基づいて詳細に説明する。
【００１１】
輪木１００は、図１に示すように、例えば建築物の外壁等に用いられる資材パネル２００を地面から離して仮置きするためなどに用いられる。
【００１２】
上記輪木１００は、例えばプラスチックの押し出し成型によって形成され、図２に示すように、屈曲部１０１が形成された帯状部材を有するように構成されている。より詳しくは、互いに逆方向に凸になる屈曲部１０１どうしが平坦部１０２により連結された波形形状を有している。屈曲部１０１の内側における帯状部材の幅方向両縁部付近には、リブ部１０３が形成され、帯状部材の長手方向の伸縮変形に対する剛性や強度が高められるようになっている。
【００１３】
帯状部材の両端部には、把持部１０４が設けられている。この把持部１０４は、内部に穴を有する略角形の環状に形成されている。この把持部１０４の形状や寸法は特に限定されないが、例えば、帯状部材の長手方向における長さ（Ａ）は約４５ｍｍ、帯状部材の幅方向における長さ（Ｂ）は約６０ｍｍ、帯状部材の幅方向における把持部１０４の端から帯状部材の幅方向の縁部までの寸法（Ｃ）は約２０ｍｍなどに設定されている。
【００１４】
輪木１００の屈曲部１０１における内方側および外方側の形状や、平坦部１０２の傾斜角度などは、例えば図３に示すように、複数の輪木１００を重ねたときに、全体の嵩が比較的小さくなるように、すなわち、例えばそれぞれの平坦部１０２どうしが略全長に亘って密着し得るように設定されている。
【００１５】
上記のような把持部１０４が設けられていることによって、例えば輪木１００全体が資材パネル２００の下方に位置しているような状態で輪木１００の位置をずらしたりする場合に、把持部１０４を掴めば、輪木１００と資材パネル２００との間や、輪木１００と地面との間などに指や手を挟んだりするおそれを容易に低減することができる。特に、把持部１０４における帯状部材の幅方向の寸法が、上記帯状部材の幅よりも短く設定されていることによって、特に、図２の寸法（Ｃ）がある程度の長さに設定されていることによって、一層確実に指や手を挟んだりする事態を回避することが容易にでき、作業性を向上させることも容易になる。
【００１６】
（その他の事項）
把持部１０４の形状や寸法などは、特に限定されず、種々設定することができる。例えば、上記のように角形の環状に限らず、例えば穴を有しない板状に形成されたり、帯状部材から直線的に張り出した棒状や、その棒状の先が折れ曲がった鉤状などに形成されたりしてもよい。また、把持部１０４は帯状部材の両端部にそれぞれ設けられるのに限らず、輪木１００の全長と資材パネル２００の大きさとの関係などによっては、一方側だけに設けられたりしてもよい。
【００１７】
輪木１００の帯状部材の寸法や形状、例えば屈曲部１０１の数なども、特に限定されず、資材パネル２００等の大きさなどに応じて種々設定されればよい。例えば、上記のように複数の屈曲部１０１が繰り返された形状に限らず、全体がＺ形になるような形状に形成されたりしてもよい。また、特に、把持部１０４が設けられていることによって、上記のように輪木１００全体が資材パネル２００の下方に位置しているような状態でも手指を挟んだりしにくくできるので、輪木１００の全長や、適用しやすい資材パネル２００の大きさの自由度を大きくすることができる。一方、例えば資材パネル２００の幅方向寸法が９１０ｍｍの場合に輪木１００の全長を９８０ｍｍにしたり、資材パネル２００の幅方向寸法が６０６ｍｍの場合に輪木１００の全長を６８０ｍｍにしたりするなど、把持部１０４が資材パネル２００から突き出されやすいようにしてもよい。
【００１８】
また、輪木１００の帯状部の形状は、強度や重量、製造上の考慮要素など、種々の観点から設定することができ、例えば種々のリブや肉抜きなどを設けたりしてもよい。
【符号の説明】
【００１９】
１００      輪木
１０１      屈曲部
１０２      平坦部
１０３      リブ部
１０４      把持部
２００      資材パネル
【図１】
2019049170.tif 000003
【図２】
2019049170.tif 000004
【図３】
2019049170.tif 000005
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
屈曲部が形成された帯状部材を有する輪木であって、
上記帯状部材の端部に、上記帯状部材に対して位置および姿勢が固定された状態で上記帯状部材と一体的に形成された把持部が設けられ、
上記把持部は、内部に穴を有する環状に形成され、
上記把持部における上記帯状部材の幅方向の寸法が、上記帯状部材の幅よりも短く設定されていることを特徴とする輪木。
【請求項２】
請求項１の輪木であって、
上記把持部が、帯状部材の両端部にそれぞれ設けられていることを特徴とする輪木。
【請求項３】
請求項１および請求項２のうち何れか１項の輪木であって、
上記屈曲部は、波形形状の山部または谷部となるように形成され、複数の輪木の山部または谷部どうしを重ねることが可能に構成されていることを特徴とする輪木。